(57)【要約】　　　（修正有）【課題】ポンプユニットを玩具本体から着脱可能とすることによりコンパクトに収納することを可能とした浴槽水の循環装置を基にして構成される水遊び玩具を提供する。【解決手段】浴槽水を汲み上げて放水する水遊び玩具であって、浴槽水を汲み上げる電動ポンプ２１が揚水ホース２２の下部に配設されており、玩具本体の下方に取付けられるポンプユニット２と、電動ポンプを作動／停止させる電源スイッチ４と、ポンプユニットを玩具本体に連結する際に水路の連結を行う水路連結部と、玩具本体に設けられた電池およびスイッチに接続された端子金具と電動ポンプのモーターに接続された配線の端子金具の双方が接触することにより電動ポンプに電流を供給可能とする着脱式のポンプユニット連結手段と、玩具本体に直接設けられるか、または玩具本体と連結することにより浴槽水を放水可能とする放水手段と、玩具本体を浴室内に取付ける着脱式取付け手段とを配設して構成される。【選択図】　　図１
0003098450.tif 000002
【実用新案登録請求の範囲】
【請求項１】
浴槽水を汲み上げて放水する水遊び玩具であって、
▲１▼浴槽水を汲み上げる電動ポンプが揚水ホースの下部に配設されており、玩具本体の下方に延出される状態で取付けられるポンプユニットと、
▲２▼電動ポンプおよび電源と電気的に接続されており、電動ポンプに供給される電流を制御してこれを作動／停止させる電源スイッチと、
▲３▼ポンプユニットを玩具本体に連結する際に水路の連結を行う水路連結部と、玩具本体に設けられた電池およびスイッチに電気的に接続された配線の端子金具と電動ポンプのモーターに電気的に接続された配線の端子金具の双方が接触することにより電動ポンプに電流を供給可能とする電気的接続部の二つを有する着脱式のポンプユニット連結手段と、
▲４▼玩具本体に直接設けられるか、または玩具本体と連結することにより浴槽水を放水可能とする一つ以上の放水手段と、
▲５▼玩具本体を浴室内に取付ける着脱式取付け手段とを配設して成り、
子供が風呂場で楽しく遊ぶことを可能としたことを特徴とする水遊び玩具。
【請求項２】
請求項１において、
玩具本体には、前記ポンプユニットによって汲み上げられた水を放水する複数の放水手段と、前記放水手段に至る水路を開閉することにより前記複数の放水手段のうちから選択したものを使用可能とする流路切替手段とを配設し、適宜使用する放水手段を選択できるようにしたことを特徴とする水遊び玩具。
【請求項３】
請求項２において、
前記複数の放水手段として、打たせ湯の放水口、シャワー、蛇口のうちいずれか二つ以上を設けたことを特徴とする水遊び玩具。
【請求項４】
請求項３において、
前記シャワーと蛇口には玩具本体に設けた連結部に嵌合される連結部を設け、玩具本体に対して着脱自在としたことを特徴とする水遊び玩具。
【考案の詳細な説明】
【０００１】
【考案の属する技術分野】
本考案は、浴槽水を電動ポンプで汲み上げて、玩具本体に設けられる打たせ湯の放水口や蛇口、シャワー等から放水する水遊び玩具の構成に関する。
【０００２】
【従来の技術】
従来知られるものとして、例えば下記特許文献に挙げられる考案が存在する。
【特許文献１】
登録実用新案３０７９７００号公報
この考案は、水の濾過装置を設けた浴槽水の循環装置であり、玩具本体下部に延設される電動ポンプによって浴槽水を揚水し、ライオンなどの動物の頭部形状を模して形成された装置玩具本体の前面に設けた吐出口から放水するものであった。電動ポンプによって汲み上げられた水はポンプユニットに設けられたフィルターによって濾過され、水中のゴミや汚れが除去された。前記吐出口は動物の口にあたる位置に設けられており、観者の興味を引くものであった。
このように、本考案に係る浴槽水の循環装置は浴槽水を浄化する濾過装置として使用することができるだけでなく、観者の興味を引く浴室のインテリアともなるものであった。
【０００３】
【考案が解決しようとする課題】
しかしながら、上記装置は浴室のインテリアとはなるものの、子供が遊ぶために使用するものではなかった。
また、ポンプユニットが循環装置本体に固定されていたため、収納時において、コンパクトに収納することが難しいという問題が存在していた。
そこで、本考案は上記従来技術に鑑みなされたものであり、コンパクトに収納可能な浴槽水の循環装置玩具を提供することを課題とする。
【０００４】
【課題を解決するための手段】
請求項１記載の考案は、浴槽水を汲み上げて放水する水遊び玩具であって、
▲１▼浴槽水を汲み上げる電動ポンプが揚水ホースの下部に配設されており、玩具本体の下方に延出される状態で取付けられるポンプユニットと、
▲２▼電動ポンプおよび電源と電気的に接続されており、電動ポンプに供給される電流を制御してこれを作動／停止させる電源スイッチと、
▲３▼ポンプユニットを玩具本体に連結する際に水路の連結を行う水路連結部と、玩具本体に設けられた電池およびスイッチに電気的に接続された配線の端子金具と電動ポンプのモーターに電気的に接続された配線の端子金具の双方が接触することにより電動ポンプに電流を供給可能とする電気的接続部の二つを有する着脱式のポンプユニット連結手段と、
▲４▼玩具本体に直接設けられるか、または玩具本体と連結することにより浴槽水を放水可能とする一つ以上の放水手段と、
▲５▼玩具本体を浴室内に取付ける着脱式取付け手段とを配設して成り、
子供が風呂場で楽しく遊ぶことを可能としたことを特徴とする。
【０００５】
本考案によれば、ポンプユニットを着脱式に形成して玩具本体から取外して収納可能とすることにより、収納場所をとらない水遊び玩具を提供することができる。
【０００６】
請求項２記載の考案は、請求項１において、
玩具本体には、前記ポンプユニットによって汲み上げられた水を放水する複数の放水手段と、前記放水手段に至る水路を開閉することにより前記複数の放水手段のうちから選択したものを使用可能とする流路切替手段とを配設し、適宜使用する放水手段を選択できるようにしたことを特徴とする。
【０００７】
本考案によれば、ポンプユニットにより汲み上げた水を放水する放水手段を複数設けて、これらの内から使用するものを選択可能とすることにより、色々な遊び方をすることができる水遊び玩具を提供することができる。
【０００８】
請求項３記載の考案は、請求項２において、
前記複数の放水手段として、打たせ湯の放水口、シャワー、蛇口のうちいずれか二つ以上を設けたことを特徴とする。
【０００９】
本考案によれば、ポンプユニットにより汲み上げた水を、打たせ湯の放水口、シャワー、蛇口の内いずれかから放水することで、色々な遊び方をすることができる水遊び玩具を提供することができる。
【００１０】
請求項４記載の考案は、請求項３において、
前記シャワーと蛇口を玩具本体に対して着脱自在に配設したことを特徴とする。
【００１１】
本考案によれば、玩具本体に設けられるシャワーと蛇口を着脱自在としたことにより、子供がこれらの部材を強く引っ張ったり体を接触させたりした場合には、連結部が外れることで玩具の破損が防止される水遊び玩具を提供することができる。
【００１２】
【考案の実施の形態】
浴槽水を汲み上げて放水する水遊び玩具であって、
▲１▼浴槽水を汲み上げる電動ポンプが揚水ホースの下部に配設されており、玩具本体の下方に延出される状態で取付けられるポンプユニットと、▲２▼電動ポンプおよび電源と電気的に接続されており、電動ポンプに供給される電流を制御してこれを作動／停止させる電源スイッチと、▲３▼ポンプユニットを玩具本体に連結する際に水路の連結を行う水路連結部と、玩具本体に設けられた電池およびスイッチに電気的に接続された配線の端子金具と電動ポンプのモーターに電気的に接続された配線の端子金具の双方が接触することにより電動ポンプに電流を供給可能とする電気的接続部の二つを有する着脱式のポンプユニット連結手段と、▲４▼玩具本体に直接設けられるか、または玩具本体と連結することにより浴槽水を放水可能とする一つ以上の放水手段と、▲５▼玩具本体を浴室内に取付ける着脱式取付け手段とを配設して成り、子供が風呂場で楽しく遊ぶことを可能としている。
【００１３】
【実施例】
以下、図面を参照して本考案に係る実施例を詳細に説明する。
図１は、本実施例に係る玩具の外観を示している。
本実施例に係る玩具は風呂場に設置して使用される玩具であって、電動ポンプによって揚水した浴層水を玩具本体１に設けた打たせ湯の放水口やシャワーまたは蛇口から放水することとを特徴としている。
玩具本体１は、樹脂成型して形成される玩具本体ケースによって覆われている。玩具本体１には▲１▼浴層から水を汲み上げるための電動ポンプ２１を備え、揚水ホース２２によって玩具本体１の下部に連結されるポンプユニット２と、▲２▼ホース２２から汲み上げた水を放水するための打たせ湯の放水口１１と、▲３▼軟質樹脂で形成されるホース７１によって玩具本体１とによって連結され、玩具本体側面に設けられたホルダ１３に係止されるシャワー７と、▲４▼ハンドル６１を回転することにより水を出す蛇口６と、▲５▼電動ポンプ２１と玩具本体１内部に設けられる電池に電気的に配線されており、電動ポンプ２１を作動させる電源スイッチ４と、▲６▼水路の切替スイッチ５が設けられている。
打たせ湯の放水口１１とシャワー７と蛇口６のいずれから水を出すかは、使用者が水路の切替スイッチ５を操作することにより選択可能としている。
【００１４】
図２は、図１に示す玩具の断面図であり、説明上必要ない部材に関しては省略して記載している。
玩具本体１の内部には、シャワー７と打たせ湯の放水口１１が連結された水箱８が設けられている。この水箱８の内部には、切替スイッチ５の操作によって動かされる移動栓が設けられており、この移動栓が水路を切替える。
玩具本体１の背部には、玩具本体１を浴室の壁面等浴室内部の平面部に取付けるための吸盤１２（取付け手段）が設けられている。
【００１５】
図３は、前記ポンプユニット２の構成を示す拡大断面図である。
ポンプユニット２は、玩具本体１内部に配設される水箱８の下部に設けられる連結部８１ｄに連結される円筒状の樹脂製ジョイント２５と、ジョイント２５の下部に配設される軟質樹脂製の揚水ホース２２と、揚水ホース２２の下部に配設される電動ポンプ２１から構成されている。
ジョイント２５の上部は、鍔部２５ａの位置まで連結部８１ｄの内部に嵌合され、このときモータ２１ａに電気的に接続される配線２１ｋの端子２３と連結部８１ｄ内部に設けられる端子とが接触する。この端子は玩具本体１の内部に設けられる電池（図示せず）と電源スイッチ４に配線されているので、電源スイッチ４を操作（押下）することによりモータ２１ａに電流を供給して浴槽水を汲み上げることが可能となる。
【００１６】
揚水ホース２２は、ポリプロピレンやポリエチレン等の樹脂素材によって形成することができる。本実施例においてはポリエチレン樹脂で製造し、柔軟性を持たせるために蛇腹状に形成しているが、単に柔軟なゴムホースで代用しても構わない。必要な長さは、浴槽上部の壁面に玩具本体１を取り付けることが可能であるため、これに足りる長さとすればよい。例えば、浴槽の縁からあまり離間しない位置に玩具本体１を配設して揚水ホース２２を鉛直下方へ伸ばした場合を想定し、電動ポンプ２１の下部が浴槽内の水面に達するまでの距離を考察すると、およそ３０〜５０センチ程度の長さを確保するれば足りると考えられる。なお、本実施例においては４０センチ程度の長さに形成している。
【００１７】
電動ポンプ２１は樹脂製のポンプケース２１ｅの内部にスクリュー２１ｂを設けた小型モータ２１ａを格納して成り、下部に浴槽水を浄化するためのフィルタ２１Ｃがフィルタ保持具２１ｄによって固定されている。モータ２１ａが収納されるモーター室は、浸水することのないように部材連結部にゴムパッキンを設けて密閉されており、上部に穿設した孔部にはモーター２１ａに電力を供給する配線２１ｋが配線されている。
【００１８】
フィルタ２１ｃは通過する水を濾過して水中のゴミや水垢を取り除き浴槽水を清潔に保つために設けられており、複数の開口部２１ｈを有するフィルタ保持具２１ｄによってポンプケース２１ｅ下部に挟持されている。フィルタ保持具２１ｄの下部には複数の凸部２１ｉが離間して設けられており、フィルタ保持具２１ｄの下端が浴槽の底面に接触した場合にも、この隙間から水を取り入れることを可能としている。電動ポンプ２１の作動時には、水は開口部２１ｈから入り、開口部２１ｇを通過して図示するポンプケース２１ｅ内部を通過して揚水ホース２２を経て玩具本体１内部の水箱８へと入る。
【００１９】
図４は、図２に示す玩具本体１の内部に設けられる水箱８の分解斜視図を示している。
水箱８は、ケース８１の内部に設けられる移動栓８５をアーム８４の回動によってスライドさせることにより、シャワー又は打たせ湯の放水口１１へと通じる水路を開閉するために設けられている。
アーム８４は、部材の略中央部に穿設される軸穴８４ｂを軸８４ｄに軸支してケース８１の上蓋８３に取り付けられており、上部に設けられる軸受８４ａに切替えスイッチ５の軸５ａが緩挿されている。下端８４ｃは内蓋８２の下部に配設される移動栓８５の右方に穿設される係止部８５ａに緩挿されている。上蓋８３は、ケース８１にネジ止めして（図示せず）固定されており、内蓋８２も同様にして固定されている。移動栓８５は、ケース８１の内部で左右方向にスライド可能となるように内蓋８２の下部に配設されている。
【００２０】
水箱８内部で行われる水路の切替動作について図４に加えて図５を参照して説明すると次の通りである。
図５は、水箱８内部での各部材の動作を説明する断面図であり、図中の太矢印は水の流路を示している。
玩具本体１に設けられた切替スイッチ５を反時計回りに操作するとアーム８４もこれと同方向に回転するので移動栓８５は左方へと移動する。移動栓８５が左方向にスライドすると、開口部８２ａと略同一形状で一回り大きい寸法に形成された大栓８５ｃが開口部８２ａを塞ぐと共に、円形の小栓８５ｂがケース８１の内部でシャワー連結部８１ａの上部から外れるので、流路Ａに示すようにして水が流れ、シャワーから水が放水される。
【００２１】
反対に、切替スイッチ５を時計回りに操作するとアーム８４もこれと同方向に回転するので移動栓８５は右方へと移動する。移動栓８５が右方向にスライドすると、ケース８１の内部で小栓８５ｂが連結部８１ａの上部を塞ぎ、大栓８５ｃが内蓋８２の開口部８２ａから外れるので、水はシャワー連結部８１ａには流れなくなり、流路Ｂに示すようにケース８１の内部を満たして行く。そして、最終的にはケース８１上部に設けた開口部８１ｅから溢れてＵ字状の溝８１ｂを伝って玩具本体１の打たせ湯の放水口１１から放水される。なお、連結部８１ａが閉時ている間は、蛇口連結部８１ｃにも水が供給されているので、蛇口６を使用することが可能となる。
【００２２】
図６は、本実施例に係る玩具に設けられる蛇口の構造とその動作を示している。
図６（Ａ）は、蛇口６の分解斜視図を示しており、はじめに本図を参照して蛇口６の構造を説明する。
蛇口６は、ハンドル６１と蛇口本体６２の二部材から構成されている。ハンドル６１の上部には、使用時に滑り止めとなる四つの球状凸部が均等な間隔で配設されており、下部には水を通す導水孔６１ｃが穿設される円柱状の軸部６１ｂが設けられている。この軸部６１ｂは、蛇口本体６２の上部に形成される軸穴６２ａに上方から挿入され、段部６１ｄが軸穴６２ａの周縁部６２ｃに接触する位置まで嵌合される。そして、ハンドル６１は、蛇口本体６２から抜け落ちることのないように、蛇口本体６２の底部に設けられたネジ孔６２ｄよりも幅広の鍔部を有するネジ６２ｅで軸部６１ｂの底部中央に穿設されるネジ穴をネジ止めすることにより回転自在に取り付けられている。蛇口本体６２の連結部６２ｆ
は円筒状に形成されており、連結部６２ｆと略同径に形成された玩具本体１の連結穴に押し入れることにより連結され、蛇口本体６２を強く引っぱったり、子供がぶつかったりした場合にはこの連結部が外れることにより玩具の破損が防止される。
【００２３】
組立て状態では、ゴムパッキン６１ａが軸穴６２ａの内壁に接触するので、軸部６１ｂと軸穴６２ａの隙間から水漏れが防止されるだけでなく、軸部６１ｂと軸穴６２ａの間に摩擦が生じるため、適度な力でハンドル６１を回転させることが可能となる。前記軸部６１ｂの周縁部に巻装されている止水用のゴムパッキン６１ａは、軸部６１ｂの外周と同程度の長さに切断した短冊状のシリコンゴムシートに導水孔６１ｃと同形の開口部を穿設して形成され、裏面に市販の接着剤を塗布したのち開口部の位置と導水孔６１ｃの位置を合わせて軸部６１ｂに接着されている。なお、このゴムパッキン６１ａは、軸部６１ｂと同径または若干小さい内径のゴムチューブに導水孔６１ｃと同形の開口部を穿設して形成することもできる。
【００２４】
次に、図６（Ｂ）および図６（Ｃ）を参照して蛇口６の動作を説明する。
図６（Ｂ）および図６（Ｃ）は、ハンドル６１を回した状態における蛇口内部の状態を示している。
図６（Ｂ）に示すように、水が止まっている状態では水路６２ｂはハンドル６１の軸部６１ｂで遮断されており、ハンドル６１を反時計方向に９０度回転すると水路６２ｂが開いて水が出る。
【００２５】
図７は、本実施例に係る玩具の使用状態を示しており、図示するようにポンプユニット２から汲み上げた浴槽水を打たせ湯の放水口１１から放出することができる。このようにすれば、打たせ湯にして温泉気分を楽しむことができる。
【００２６】
図８は、本実施例に係る玩具の他の使用状態を示しており、図示するようにポンプユニット２から汲み上げた浴槽水をシャワー７から放水している。このようにすれば、シャワーで水をかけて遊ぶことができる。
【００２７】
【考案の効果】
【００２８】
本考案によれば、ポンプユニットを着脱式に形成して玩具本体から取外して収納能とすることにより、収納場所をとらない水遊び玩具を提供することができる。
【００２９】
また本考案によれば、ポンプユニットにより汲み上げた水を放水する放水手段を複数設けて、これらの内から使用するものを選択可能とすることにより、色々な遊び方をすることができる水遊び玩具を提供することができる。
【００３０】
また本考案によれば、ポンプユニットにより汲み上げた水を、打たせ湯の放水口、シャワー、蛇口の内いずれかから放水することで、色々な遊び方をすることができる水遊び玩具を提供することができる。
【００３１】
また本考案によれば、玩具本体に設けられるシャワーと蛇口を着脱自在としたことにより、子供がこれらの部材を強く引っ張ったり体を接触させたりした場合には、連結部が外れることで玩具の破損が防止される水遊び玩具を提供することができる。
【００３２】
【図面の簡単な説明】
【図１】実施例に係る水遊び玩具の外観を示す斜視図である。
【図２】図１に示す水遊び玩具の内部構造を示す縦断面図である。
【図３】図２に示すホース近傍の拡大図である。
【図４】図２に示す玩具本体の内部に設けられる水箱の分解斜視図である。
【図５】図４に示す水箱の構造とその動作を説明する断面図である。
【図６】図１に示す水遊び玩具に設けられる蛇口の構造とその動作を説明する図である。
【図７】図１に示す水遊び玩具の使用状態を示す図である。
【図８】図１に示す水遊び玩具の使用状態を示す図である。
【符号の説明】
１　　　玩具本体
２　　　ポンプユニット
４　　　電源スイッチ
５　　　切替スイッチ
６　　　蛇口
７　　　シャワー
８　　　水箱
１１　　打たせ湯の放水口
１２　　吸盤
２１　　電動ポンプ
２１ａ　モータ
２２　　揚水ホース
２３　　端子
２５　　ジョイント
７１　　ホース
Ａ　　　流路
Ｂ　　　流路
【図１】
0003098450.tif 000003
【図２】
0003098450.tif 000004
【図３】
0003098450.tif 000005
【図４】
0003098450.tif 000006
【図５】
0003098450.tif 000007
【図６】
0003098450.tif 000008
【図７】
0003098450.tif 000009
【図８】
0003098450.tif 000010